(57)【特許請求の範囲】
【請求項１】
ケースとホルダとコイルを少なくとも備えるオートフォーカスモジュールにおいて、前記ケースは、金属材質とし、その内部の四つの周囲エッジには四つのマグネットを取り付け、
前記ホルダは中空の軸孔構造とし、軸孔内にはレンズを装着し、少なくとも一つの弾性体をケース内に取り付け、
前記コイルはホルダの外部に取り付け、電磁場がマグネットに対して反発或いは吸引作用を起こすことにより、ホルダを上下に動かしピント合わせを行わせ、
前記ケースの四つの隅部には、前記ケースと一体成型されており内側方向に湾曲するＬ型板を配置し、該Ｌ型板を該コイルと該ホルダの間に延伸させ、該Ｌ型板を、前記ケースの四つの該隅部における、二つの隣り合う該マグネット間の空間に、該コイルを介して対応させることを特徴とするオートフォーカスモジュールのマグネット台。
【請求項２】
前記ホルダ外側の隅部とコイルの間にはそれぞれ、Ｌ型板を挿入するための嵌入空間を設けることを特徴とする請求項１に記載のオートフォーカスモジュールのマグネット台。
【発明の詳細な説明】
【技術分野】
【０００１】
本発明はオートフォーカスモジュールのマグネット台に係り、特にマイクロレンズのオートフォーカスモジュールにおいてコイルの磁気誘導効率を高めるオートフォーカスモジュールのマグネット台に関する。
【背景技術】
【０００２】
科学技術の進歩にともない、デジタルカメラの体積がかなり小さくなり、また、現在の携帯電話にもデジタルカメラの機能が構築されてきた。それらは全て撮像レンズのもモジュール化及びマイクロ化に功績がある。マイクロレンズ内には多種類のオートフォーカスモジュール駆動機構が内蔵されており、現在最も一般的に使用されているのはボイスコイルモータ（ＶＣＭ）である。それは体積が小さく、使用電力が少なく、移動が正確で、安価等の長所があるため、マイクロレンズのオートフォーカスモジュールとしての近距離駆動に適する。
【０００３】
図１には公知のオートフォーカスモジュールの立体分解図を示す。前記公知の構造には、ケースカバー１０、底蓋１１、レンズホルダ１２を備え、前記ケースカバー１０内の四周囲エッジには四つのマグネット１４をそれぞれ嵌入し、前記レンズホルダ１２内にはネジ山１５を配置し、レンズ１６を螺合し、前記レンズホルダ１２の外周はコイル１７で包み込む。上弾性片１８と下弾性片１９が四つのマグネット１４の中心箇所を支えているため、レンズホルダ１２は、ケースカバー１０内の四つのマグネット１４の中心で上下に可動し、コイル１７が通電すると磁場極性とマグネット１４の反発或いは吸引が生じ、それに従動されるレンズホルダ１２及びマグネットレンズ１６のオートフォーカスが行われる。
【０００４】
図２は図１のケースカバー、マグネット、及びコイルを組み合わせた立体図である。図ケースカバー１０内の四つの隅部２０にはマグネット１４がなく、コイル１７によって生じる電磁場は隅部２０でマグネット１４との反発或いは吸引を起こさないため、電磁場の浪費となり、駆動効率を低下させる。このようにマイクロ化のオートフォーカスモジュールは、電力の無駄があってこそ駆動目的を達成できる。
【０００５】
よって、前述の従来のオートフォーカスモジュールには改善余地がある。よって、本発明者は、研究開発をすすめ、オートフォーカスモジュールのマグネット台を生み出した。それは、金属ケースカバーの四つの隅部に各エッジからＬ型板を延伸し、二つのマグネットの間に対応させ、コイル間のマグネット効率を強化する。
【発明の概要】
【発明が解決しようとする課題】
【０００６】
本発明の目的は、コイルの隅部の磁場効率を増強し、コイル電磁場の駆動力を高め、節電目的を達成するオートフォーカスモジュールのマグネット台を提供することにある。
【課題を解決するための手段】
【０００７】
前述目的を達成するために、次のような主な技術特徴を有する本発明のオートフォーカスモジュールのマグネット台を提供する。それは、少なくとも一つのケースを備え、その内部の四つの周囲エッジには四つのマグネットを取り付ける。ホルダ内にはレンズを装着し、少なくとも一つの弾性体を前記ケース内に取り付け、コイルをホルダの外部に取り付け、前記ホルダを駆動して上下に動かしてピントを合わせる。前記ケースの四つの隅部にはそれぞれ内側方向に湾曲したＬ型板を配置し、コイルとホルダの間に延伸させ、コイルを介して二つのマグネット間の空間に対応させる。これにより、前記コイルの隅部での電磁場駆動のマグネット効率を強化する。
【発明の効果】
【０００８】
本発明のオートフォーカスモジュールのマグネット台は、コイル隅部の磁場効率を増強し、コイル電磁場の駆動力を高め、節電目的を達成する効果を有する。
【図面の簡単な説明】
【０００９】
【図１】公知のオートフォーカスモジュールについての立体分解図である。
【図２】図１のケースカバー、マグネット、及びコイルを組み合わせた立体図である。
【図３】本発明の第一実施例に関する立体分解図である。
【図４】本発明の図３に関する一部部品を組み合わせた局部断面図である。
【発明を実施するための形態】
【００１０】
目的達成のために本発明の採用する技術、手段、及び効果を更にご理解いただくために、次に、本発明の図面を参照とした詳細説明を行う。これにより、本発明の目的、特徴についての具体的なご理解を深めていただけことを期待する。但し、添付の図面は単に参考及び説明用であり、本発明を制限するものではないことをここに明記する。
【実施例】
【００１１】
本発明の第一実施例の立体図は図３に示すとおりである。また、図４には、本発明の図３に関する一部部品を組み合わせた局部断面図を示す。本発明のオートフォーカスモジュールには、少なくとも一つのケース３０、四つのマグネット３２、ホルダ３４、少なくとも一つの弾性体３６、クッション体３７、コイル３８を備える。その内、前記ケース３０は、方形をなし、金属材質とする。その内部の四つの周囲エッジにはマグネット３２を取り付ける。また、ホルダ３４は中空の軸孔構造とし、前記軸孔内にはレンズ５０を装着し、弾性体３６をケース３０内に取り付ける。
【００１２】
前記弾性体３６には外側エッジ固定部と内側エッジ可動部とを備え、ホルダ３４は、弾性体３６の内側エッジ可動部に連結し、弾性体３６の外側エッジ固定部は、クッション体３７を用いてケース３０上に連結し、クッション体３７とケース３０の間には上下可動空間を形成し、ホルダ３４は、ケース３０内部で浮き上がり活動する。
【００１３】
前記コイル３８は四角形の中空環状をなし、ホルダ３４の外部に取り付け、通電後には、電磁場が前記マグネット３２に対して反発或いは吸引作用を起こすことにより、前記ホルダ３４を上下に動かしオートフォーカスを行わせる。
【００１４】
前記ホルダ３４外側の四隅部とコイル３８の間にはそれぞれ嵌入空間４１を形成し、最良の実施例は、ホルダ３４の四隅部に内側方向に縮む溝を設けて嵌入空間４１とするものである。
【００１５】
前記ケース３０の四つの隅部には、上部縁からそれぞれ内側方向に湾曲するＬ型板４０を配置し、Ｌ型板４０は、ホルダ３４とコイル３８の間に形成する嵌入空間４１に延伸させる。また、Ｌ型板４０はコイル３８を介して、二つのマグネット３２間に形成する空間に対応させる。良好な実施例では、Ｌ型板４０は、ケース３０と一体成型により作製し、コイル３８の隅部での電磁場駆動のマグネット効率を強化する。
【００１６】
実際の実験結果によると、本発明は確実に、前述に開示したケースの隅部のＬ型板によってコイルの隅部における磁場効率を1.95倍にも高め、コイルの電磁場の駆動力を増強し、節電効果を達成している。よって、本発明は従来の設計とは異なる、全体の使用価値を向上させるものであり、出願前に刊行物や公開使用されている例が見られないことから、発明特許要件に符合するものとして、ここに出願を行う。
【００１７】
前述に開示した図面及び説明は、単に本発明の実施例であり、本技術の熟知者が前記説明に基づいてその他各種の改善を加えることは可能である。よって、これらの修正及び変化は、本発明の発明精神及び特許登録請求の範囲に含まれることをここに明記する。
【符号の説明】
【００１８】
１０        ケースカバー
１１        底蓋
１２        レンズホルダ
１４        マグネット
１５        ネジ山
１６        レンズ
１７        コイル
１８        上弾性片
１９        下弾性片
２０        隅部
３０        ケース
３２        マグネット
３４        ホルダ
３６        弾性体
３７        クッション体
３８        コイル
４０        Ｌ型板
４１        嵌入空間
５０        レンズ
【図１】
0005985793.tif 000002
【図２】
0005985793.tif 000003
【図３】
0005985793.tif 000004
【図４】
0005985793.tif 000005